(57)【要約】【課題】設置スペースの低減を図りつつも交換作業をし易くする。【解決手段】本発明に係る現像剤収納容器５０は、収納部４１に対して着脱自在であって内部に現像剤が収納されていて、収納部４１からの離脱方向Ａ２に位置する容器面５０Ａに、容器面と平行となる収納位置と容器面から起立した操作位置とに開閉自在に設けられた持ち手５４と、持ち手５４に設けられていて、持ち手が操作位置にあるときに弾性変形して容器面に当接し、持ち手に対して収納位置へと移動する方向に付勢するアーム５４３、５４４を有する。【選択図】図３
2014123055.tif 000002
【特許請求の範囲】
【請求項１】
収納部に対して着脱自在であって、内部に現像剤が収納されている現像剤収納容器において、
前記収納部からの離脱方向に位置する容器面に、前記容器面と平行となる収納位置と、前記容器面から起立した操作位置とに開閉自在に設けられた持ち手と、
前記持ち手に設けられていて、前記持ち手が操作位置にあるときに弾性変形して前記容器面に当接し、当該持ち手に対して前記収納位置へと移動する方向に付勢するアームを有することを特徴とする現像剤収納容器。
【請求項２】
前記アームは、前記持ち手と一体形成されていることを特徴とする請求項１記載の現像剤収納容器。
【請求項３】
前記持ち手は、前記容器面に開閉自在に支持される軸部を有し、前記軸部の軸線方向に移動自在に前記容器面に支持されていて、
前記持ち手が前記軸線方向に移動した際に、移動方向において前記収納位置への前記持ち手の移動を規制する規制部を有することを特徴とする請求項１又は２記載の現像剤収納容器。
【請求項４】
内部に現像剤が収納されている現像剤収納容器と、前記現像剤収納容器を着脱可能に支持する収納部を備え、前記現像剤収納容器の現像剤を現像装置に供給する現像剤補給装置において、
前記現像剤収納容器が請求項１乃至３の何れか１項に記載の現像剤収納容器であることを特徴とする現像剤補給装置。
【請求項５】
前記収納部は、その内部に前記現像剤収納容器を収納するための開口と、前記開口を開閉するドアを有し、
前記ドアは、その開状態から閉状態への移動途中において、前記アームの付勢力によって前記操作位置から前記収納位置に向って移動した前記持ち手を前記収納位置に向って押し込むように前記持ち手に当接することを特徴とする請求項４記載の現像剤補給装置。
【請求項６】
像担持体と、像担持体上に形成される潜像を現像剤で現像する現像装置と、前記現像装置へ現像剤を供給する現像剤補給装置を備えた画像形成装置において、
前記現像剤補給装置として、請求項４または５記載の現像剤補給装置を用いたことを特徴とする画像形成装置。
【発明の詳細な説明】
【技術分野】
【０００１】
本発明は、現像剤を内部に収納した現像剤収納容器、現像剤収納容器を備えた現像剤補給装置及びこれを備えた電子写真方式の画像形成装置に関する。
【背景技術】
【０００２】
複写機、プリンタ、ファクシミリ、又は、これら機能を備えた複合機等の電子写真方式を用いた画像形成装置では、像担持体上の潜像に現像装置で現像剤を供給することで、潜像を可視像化している。このため、現像装置内の現像剤は使用に伴い低減するので、画像形成装置は、現像装置に現像剤を供給（補給）するための現像像補給装置を備えている。
現像剤補給装置は、現像剤が収納された現像剤収納容器と、現像剤収納容器内の現像剤を容器外に排出する搬送手段と、現像剤収納容器を装着する収納部を備えている。現像剤補給装置は、現像装置内の現像剤量が低減すると、図示しない駆動ユニットで搬送手段を駆動して現像剤収納容器内の現像剤を容器外に排出し現像装置に供給するように作動する。
現像剤収納容器は、収納部に対して着脱可能に構成されていて、内部の現像剤がなくなると交換可能とされている。このため、現像剤収納容器には、容器交換時の作業性を考慮して持ち手を備えたものが、例えば特許文献１で提案されている。
特許文献１の構成において、持ち手は、容器の着脱方向においてその位置が固定状態であるので、持ち手を含めた容器の大きくが嵩張り、収納部への装着時の設置スペースを要してしまう。
【発明の概要】
【発明が解決しようとする課題】
【０００３】
本発明は、上述のような課題を解決するためになされたもので、設置スペースの低減を図りつつも着脱作業を良好に行なえる構成を提案することを、その目的とする。
【課題を解決するための手段】
【０００４】
前記目的を達成するため、本発明に係る現像剤収納容器は、収納部に対して着脱自在であって内部に現像剤が収納されていて、収納部からの離脱方向に位置する容器面に、同容器面と平行となる収納位置と、容器面から起立した操作位置とに開閉自在に設けられた持ち手と、持ち手に設けられていて、持ち手が操作位置にあるときに弾性変形して容器面に当接し、持ち手に対して収納位置へと移動する方向に付勢するアームを有することを特徴としている。
【発明の効果】
【０００５】
本発明によれば、収納部からの離脱方向に位置する容器面に、同容器面と平行となる収納位置と、容器面から起立した操作位置とに開閉自在に持ち手設け、持ち手が操作位置にあるときに弾性変形して容器面に当接し、持ち手に対して収納位置へと移動する方向に付勢するアームを持ち手に設けたので、持ち手が収納位置を占めることで設置スペースの低減を図れるとともに、必要なときには容器面から起立した操作位置を占めるので着脱作業を良好に行うことができる。
【図面の簡単な説明】
【０００６】
【図１】本発明の一実施形態を示す画像形成装置の概略正面図。
【図２】本発明に係る現像剤補給装置の概略構成を示す斜視図であり、（ａ）は現像剤補給装置の補給ドアが開いた状態を示し、（ｂ）は現像剤補給装置の補給ドアが閉じた状態を示す。
【図３】現像剤収納容器の構成を示す斜視図。
【図４】現像剤収納容器の内部構成を示す図。
【図５】現像剤収納容器が有する持ち手の構成を示すもので、（ａ）は斜視図、（ｂ）は平面図。
【図６】現像剤収納容器の容器面と持ち手との支持構造を示す分解斜視図。
【図７】持ち手の収納位置と操作位置を示す平面図。
【図８】持ち手の位置とアームの関係を示す図であり、（ａ）は持ち手が収納位置にあるときのアームの状態を示す平面視図、（ｂ）は持ち手が操作位置にあるときのアームの状態を示す平面視図。
【発明を実施するための形態】
【０００７】
以下、本発明の実施形態について図面を用いて説明する。最初に画像形成装置の全体構成と動作を説明し、次に特徴部分について説明する。
図１は、本発明を適用した画像形成装置となる電子写真方式のプリンタを示す。このプリンタには、イエロー、シアン、マゼンタ、ブラックの４色の現像剤を用いてカラー画像を形成するものである。図中、符号の末尾に付すＹ、Ｃ、Ｍ、Ｋという添字は、イエロー、シアン、マゼンタ、ブラック用の部材であることを示す。
【０００８】
プリンタは、その本体１００の内部に、転写手段として転写ユニット２０を備えている。転写ユニット２０は、複数のローラ２１、２２に、中間転写体となる中間転写ベルト２３が巻きかけられている。無端状の中間転写ベルト２３は、図示しない駆動モータによって図中反時計回り方向に無端移動される。中間転写ベルト２３の内側ループ内には、１次転写部材となる４つの１次転写ローラ２４Ｙ、２４Ｃ、２４Ｍ、２４Ｋがベルトに接するように配置されている。中間転写ベルト２３の外側には、ローラ２１と対向する位置に２次転写部材となる２次転写ローラ２５が配置されている。符号２６は、中間転写ベルト２３の表面を清掃するベルトクリーニング手段を示している。１次転写ローラ２４Ｙ、２４Ｃ、２４Ｍ、２４Ｋには、図示しない電源から１次転写バイアスが供給され、２次転写ローラ２５には、２次転写バイアスが図示しない電源から供給される。
【０００９】
転写ユニット２０の上方には、作像手段としてＹ、Ｃ、Ｍ、Ｋ用の４つの画像形成ユニットが、中間転写ベルト２３の上部張架面に沿ってベルト移動方向に並ぶように配設されている。各画像形成ユニットは、像担持体となるドラム状の感光体１１Ｙ、１１Ｃ、１１Ｍ、１１Ｋ、帯電手段１２Ｙ、１２Ｃ、１２Ｍ、１２Ｋ、現像手段１３Ｙ、１３Ｃ、１３Ｍ、１３Ｋを備えている。また、各画像形成ユニットは、ドラムクリーニング装置１４Ｙ、１４Ｃ、１４Ｍ、１４Ｋをそれぞれ備えている。これら各部材は、図示しないケーシングによってユニット毎に一体化されていて、本体１００に対して着脱自在とされている。各感光体は、その周面の下部を、１次転写ローラ２４Ｙ、２４Ｃ、２４Ｍ、２４Ｋと対向する中間転写ベルト２３の上部張架面に当接させることで、Ｙ、Ｃ、Ｍ、Ｋ用の１次転写ニップを形成している。
【００１０】
画像形成ユニットの上方には書込ユニット３０が配置されている。書込ユニット３０は、画像情報に基づいて図示しない光源を駆動してＹ、Ｃ、Ｍ、Ｋ用の露光光を各感光体に照射して光走査することで、図中時計回り方向に回転駆動する各感光体の周面に静電潜像を形成する。
【００１１】
現像手段１３Ｙ、１３Ｃ、１３Ｍ、１３Ｋは、それぞれＹ、Ｃ、Ｍ、Ｋ色の現像剤が収納されていて、現像バイアスが供給される現像剤担持体によって、それぞれの現像剤を各感光体表面に供給することで、静電潜像を現像してトナー像を形成して可視像化している。現像手段１３Ｙ、１３Ｃ、１３Ｍ、１３Ｋの上部には、現像剤補給装置４０Ｙ、４０Ｃ、４０Ｍ、４０Ｋが配置されている。現像剤補給装置４０Ｙ、４０Ｃ、４０Ｍ、４０Ｋには、補給用の現像剤を内部に収納されている現像剤収納容器５０Ｙ、５０Ｃ、５０Ｍ、５０が着脱可能に装着されている。現像手段１３Ｙ、１３Ｃ、１３Ｍ、１３Ｋには、その内部の現像剤濃度が低減すると、現像剤補給装置４０Ｙ、４０Ｃ、４０Ｍ、４０Ｋが作動することで、現像剤収納容器５０Ｙ、５０Ｃ、５０Ｍ、５０内の現像剤が供給される。
【００１２】
転写ユニット２０の下方には、記録材Ｐが収納された給紙部６０が配置されている。給紙部６０の記録材Ｐは、給紙ローラ６１によって給紙部６０から搬送経路６２へ送り出される。給紙経路６２には、給紙部６０から送り出された記録材Ｐを２次転写ニップに向けて搬送する搬送ローラ６３とレジストローラ６４が配置されている。給紙経路６２の記録材Ｐは、レジストローラ６４によって、中間転写ベルト２３上のトナー像とタイミングを合わせて２次転写ニップに搬送される。二次転写ニップよりも装置上方には、定着手段７０が配置されていて、定着手段７０よりも記録材の搬送方向下流側には、排紙ローラ６５が配置されている。
【００１３】
このような構成のプリンタでは、カラー画像形成時には、各色の感光体表面に形成されたトナー像が、１次転写ニップにおいて中間転写ベルト２３上に重ね合わせて転写され、当該転写トナー像が２次転写ニップにおいて記録材Ｐに一括転写される。転写後の各感光体はドラムクリーニング装置１４Ｙ、１４Ｃ、１４Ｍ、１４Ｋによって、転写後の中間転写ベルト２３はベルトクリーニング手段２６によって、それぞれその表面に残留している現像剤や紙粉などが除去される。
トナー像を転写された記録材Ｐは定着手段７０を通過することでトナー像が定着され、排紙ローラ６５によって本体１００の外部に排出され、この例では本体上面に形成された積載部６６にスタックされる。
【００１４】
次に現像剤補給装置と現像剤収納容器の構成について説明する。
本形態において、各色の現像剤補給装置４０Ｙ、４０Ｃ、４０Ｍ、４０Ｋと、現像剤収納容器５０Ｙ、５０Ｃ、５０Ｍ、５０Ｋは、現像剤の色が異なる以外は同一構成であるので、共通の構成としてその１つを以下に説明する。なお、添字であるＹ、Ｃ、Ｍ、Ｋは省略する。
【００１５】
図２（ａ）、図２（ｂ）に示すように、現像剤補給装置４０は、現像剤収納容器５０と、現像剤収納容器５０を着脱可能に支持する収納部４１を備え、現像剤収納容器５０内の現像剤を、対応する色の現像装置１４に供給するものである。
収納部４１は、その内部に現像剤収納容器５０を収納するための開口４２と、開口４２を開閉するドア４３を有している。収納部４１は、その内部形状が現像剤収納容器５０の概観形状と近似する形状とされていて、符号Ａで示す着脱方向に移動自在に現像剤収納容器５０を保持する。符号Ａ１は挿入方向、符号Ａ２は離脱方向をそれぞれ示す。
【００１６】
図２（ａ）は４つの現像剤収納容器５０をそれぞれ収納する開口４２が形成された構成を示している。図２（ａ）は１つ現像剤収納容器５０が収納部４１に収納されている状態と、ドア４３の開状態を示している。図２（ｂ）はドア４３の閉状態を示していて、この状態において開口４２は塞がれている。ドア４３は、画像形成装置の本体１００の外装面に位置していて、本体１００の外部から開閉操作可能とされている。ドア４３の面積は、本形態では１つのドア４３で４つの開口４２を全て覆うことができる大きさとされている。
本形態では１つのドア４３で全ての開口４２を塞ぐようにしているが、各開口４２に対して個別にドア４３を設け、開口４２毎にドア４３を開閉して、色毎に現像剤収納容器５０を別に着脱するようにしても良い。
【００１７】
現像剤収納容器５０は、図３（ａ）、図３（ｂ）に示すように、略直方体の箱であって、その内部に図示しない現像剤が収納されている。現像剤収納容器５０の内部空間には、図４に示すように、回転軸５８によって回転自在に支持されたパドル５９が配置されている。パドル５９は、その基部５９ａの両端に弾性変形部材であるマイラ５９ｂが設けられている。このマイラ５９ｂは、容器内面５０Ｂに撓んで状態で接触する長さを有している。このため、パドル５９が図示しない駆動源によって回転されると、容器内の現像剤は、基部５９ａとマイラ５９ｂによって攪拌される。また、容器内面５０Ｂに付着した現像剤は、パドル５９の回転によりマイラ５９ｂが容器内面５０Ｂを摺接移動することで掻き落とされる。
【００１８】
現像剤収納容器５０の底部５０Ｃには、図４の紙面垂直方向の延びる排出部５０Ｄが形成されている。排出部５０Ｄの一端側には容器内部と外部とを連通する排出口５０Ｅが形成されている。排出部５０Ｄには、図４の紙面垂直方向の延びる搬送手段となるスクリュ５０１が配置されている。排出部５０Ｄ内の現像剤及び底部５０Ｃ周辺の現像剤は、スクリュ５０１が図示しない駆動源によって回転駆動されることで排出口５０Ｅへと搬送される。現像剤収納容器５０には、排出口５０Ｅを開閉するシャッタ５０２が装着されている。シャッタ５０２は、現像剤収納容器５０が収納部４１に装着される前は排出口５０Ｅを閉じていて、収納部４１に装着されると開かれて排出口５０Ｅを開放するように構成されている。排出口５０Ｅと対向する収納部４１には搬送口４１ａが形成されていて、排出口５０Ｅから排出された現像剤は、搬送口４１ａから図示しない搬送経路を介して現像装置１４内へと供給される。
【００１９】
図３（ａ）、図３（ｂ）に示すように、現像剤収納容器５０の離脱方向Ａ２側に位置する容器面となる前面板５０Ａには、円形の窪み部５１が形成されている。窪み部５１の上下方向には、同一軸線О上に軸受５２、５３がそれぞれ配置されていて前面板５０Ａと一体形成されている。無論前面板５０Ａと別体で軸受５２、５３を設けても良い。軸受５２、５３には、持ち手５４が開閉自在に支持されている。持ち手５４は、作業者が現像剤収納容器５０を着脱操作する際に握るものである。軸受５２の上部には、作業者が持ち手５４を手で握った時に親指を乗せるための座面５５が形成されている。持ち手５４は、図５に実線で示す前面板５０Ａと平行となる収納位置と、２点鎖線で示す前面板５０Ａから起立した操作位置とを占めるように開閉自在に支持されている。図５において、一点鎖線で示す持ち手５４の位置は、収納位置と操作位置との間で、後述するアームによって戻された待機位置を示す。
【００２０】
樹脂製の持ち手５４は、図６、図７に示すように、湾曲形状を成し、その両端５４ａ、５４ｂに軸受５２、５３に開閉自在に支持される軸部５４１、５４２が同一軸線О上に位置するように一体形成されている。持ち手５４は、軸部５４１、５４２を軸受５２、５３に挿入した際に、図３（ｂ）に示す軸線方向となる矢印Ｂで示す上下方向に移動自在となるように軸受５２、５３との間に隙間を持って支持される。平時、持ち手５４は、その自重によって図３（ｂ）に示すように軸受５３寄りに位置していて、作業者によって握ると上方に移動されて軸受５２寄りの位置を占める。図３（ｂ）中、矢印Ｂ１は、作業者によって持ち上げられて移動する移動方向を示す。
【００２１】
図６、図７に示すように、持ち手５４には、持ち手５４が操作位置にあるときに弾性変形して前面板５０Ａに当接し、持ち手５４を収納位置へと移動する方向に付勢する舌片状で樹脂製のアーム５４３、５４４が形成されている。アーム５４３は持ち手５４の一端５４ａの端面５４ｃに、アーム５４４は持ち手５４の他端５４ｂの端面５４ｄに、それぞれ一体形成されている。端面５４ｃ及び端面５４ｄは、図８（ｂ）に示すように、持ち手５４が操作位置を占めたときに、正面板５０Ａと対向する面である。
【００２２】
持ち手５４の収納位置は、図８（ａ）に示すように、持ち手５４の回転中心線αに対し図中右側としているが、アーム５４３、５４４は、持ち手５４が操作位置を占めたときに、回転中心線αよりも左側で正面板５０Ａに接触するように形成されている。
【００２３】
このため、アーム５４３とアーム５４４は、図８（ｂ）に示すように、持ち手５４が操作位置を占めとる、それぞれ端面５４ｃと正面板５０Ａ及び端面５４ｄと正面板５０Ａの間に位置して挟まれて弾性変形して撓む。この撓みによる反力の作用点は、回転中心線αよりも収納位置と反対側になるため、アーム５４３とアーム５４４はＳ方向の反力を受け続けている。つまり、このＳ方向の反力により、操作位置に置かれた持ち手５４には、収納位置へと戻る方向への回転力が付与される。
【００２４】
図７示すように、前面板５０Ａには、操作位置において持ち手５４が上方に移動した際に、その移動方向Ｂ１において収納位置への持ち手５４の移動を規制する規制部となるリブ５６、５７が形成されている。本形態においては、軸受５２と前面板５０Ａは一体形成されているので、リブ５６、５７も軸受５２と一体形成されている。リブ５６、５７は、軸受５２の下面５２ａから軸受５３に向かって突出している。図３（ｂ）に示すように、軸部５４１、５４２を除く持ち手５４の長さＬは、軸受５３の上面５３ａからリブ５６、５７の先端５６ａ、５７ａまでの長さＬ１よりも短く設定されている。また、図８（ｂ）に示すように、リブ５６、５７の内側間隔Ｗ１は、持ち手５４の幅Ｗよりも広くなるように形成されている。
また、本形態では規制部としてリブ５６と、リブ５７の２つ設けているが、単に収納位置への持ち手５４の移動を規制するだけなら収納位置と操作位置との間に配置したリブ５７だけで十分である。
【００２５】
本形態では、持ち手５４が自重で軸受５３寄りに位置している場合には、リブ５６、５７の規制を受けず開閉自在である。しかし、持ち手５４が上方に持ち上げられると、リブ５６、５７の間に持ち手５４の一端５４ａ側が進入することで、持ち手５４の開閉動作が制限される。すなわち、操作位置において、作業者が持ち手５４を持つ際に、座面５５に親指を引っ掛けて握ると、リブ５６、５７の間に持ち手５４の一端５４ａが進入するので、不用意に持ち手５４が軸部５４１、５４２を支点にして左右に振れるのを防ぐことができる。これにより着脱作業を良好に行なえる。また、持ち手５４を握ったときに座面５５に親指を置いて握ることで、一端５４ａとリブ５６、５３の間に進入した状態が保持されるので、持ち手５４を持ったときに安定した状態を維持できるため、着脱作業をより良好に行なえる。
【００２６】
また、作業者が持ち手５４から手を離すと、持ち手５４は、その自重によって下方に移動して軸受５３寄りに移動して、リブ５６、５７の間から一端５２ａが離脱する。すると、操作位置から収納位置へ向う規制がなくなるので、アーム５４３、５４４の反力によって持ち手５４が操作位置から収納位置へ向って移動する。そのときの移動は、アーム５４３、５４４に反力（戻り方向への付勢力）が、操作位置から待機位置へ移動する程度の弱い力とされているので、持ち手５４は図５に一点鎖線で示す待機位置で停止する。
【００２７】
この待機位置は、ドア４３の開状態から閉状態への移動途中の軌道上に位置するように配置されている。すなわち、操作位置から収納位置に向ってアーム５４３、５４４の付勢力によって移動し、図５の一点鎖線で示す待機位置にある持ち手５４をドア４３は収納位置に向って押し込むように当接する。これにより待機位置にある持ち手５４をドア４３の閉じる力を利用して収納位置へて移動させることができる。このため、アーム５４３、５４４による戻り力を弱くしても確実に持ち手５４を収納状態とすることができるので、作業性を確保しつつも持ち手５４の収納忘れを防止できる。
【００２８】
また、持ち手５４を操作位置から収納位置へと戻すほどの強い反力（戻り方向への付勢力）は必要ないので、持ち手５４が不用意に収納位置へ戻る不便さがなく、収納位置から操作位置へと移動する力も軽くなり、良好な持ち手５４の操作感を得ることができる。
本発明者らは、持ち手５４の収納位置を回転中心線αに対して０度、操作位置を９０度としたとき、収納位置から７５度程度、操作位置からは収納位置に対して１５度程度まで傾ければドア４３により押すことで収納位置まで持ち手５４が移動できることを確認した。このため、待機位置は、操作位置から収納位置に対して１５度程度の位置とするのがよい。
【００２９】
本形態では、持ち手５４が収納位置を占めることで収納部４１への装着時の設置スペースの低減を図ることができるとともに、必要なときには前面板５０Ａから起立した操作位置を占めるので着脱作業を良好に行うことができる。
本形態では、持ち手５４の幅Ｗを１０ｍｍ〜１５ｍｍと想定しているので、握るには十分であるとともに、収納位置を占めたときに現像剤収納容器５０に占める持ち手５４の投影面積を低減することができる。このため、低減した投影面積分の容量を現像剤の収納領域とすることで、現像剤収納容器５０における現像剤の収納領域を確保し易くなる。また持ち手５４とアーム５４１、５４２は一体形成されているため、持ち手５４の開閉動作を１部品で行うことができ、コスト低減を図ることができる。
【００３０】
上記形態において、持ち手５４には２つのアーム５４３、５４４が形成されているが、アームの個数は２つに限定するものではなく、操作位置から収納位置へと移動して待機位置を占めることができるのであれば、１つでも良い。
【００３１】
上述した実施形態では画像形成装置をカラープリンタとして説明したが、本発明が適用可能な画像形成装置はこれに限られず、複写装置、ファクシミリ、プロッタ等の他の画像形成装置にも適用可能である。
【符号の説明】
【００３２】
１１（Ｙ、Ｃ、Ｍ、Ｋ）像担持体
１４（Ｙ、Ｃ、Ｍ、Ｋ）現像装置
４０（Ｙ、Ｃ、Ｍ、Ｋ）現像剤補給装置
４１      収納部
４２      開口
４３      ドア
５０（Ｙ、Ｃ、Ｍ、Ｋ）現像剤収納容器
５０Ａ                容器面
５４                  持ち手
５６、５７            規制部
５４３、５４４        アーム
５４１、５４２        軸部
О                    軸線
Ａ２                  離脱方向
Ｂ                    軸線方向
Ｂ１                  移動方向
【先行技術文献】
【特許文献】
【００３３】
【特許文献１】特開２００６−２５８９２８号公報
【図１】
2014123055.tif 000003
【図２】
2014123055.tif 000004
【図３】
2014123055.tif 000005
【図４】
2014123055.tif 000006
【図５】
2014123055.tif 000007
【図６】
2014123055.tif 000008
【図７】
2014123055.tif 000009
【図８】
2014123055.tif 000010